(57)【要約】【課題】例えば在宅看護用電動ベッドのように、使用場所において複数のユニットを組み立てる際、従来は、精々、組立説明書等を参照する程度であり、大型のユニットの組立を行う際の目安となるものがなく、習熟度に頼るところが大きい。【解決手段】本発明では、段ボール箱１を構成するフラップ３の少なくとも１つの先端側に、切断誘導線５を介して組立補助用支持片部６を支持した組立物品梱包用段ボール箱を提案するもので、段ボール箱から切り離した組立補助用指示片部６をユニットの組立の目安として使用して、容易に組み立て作業を行うことができる。【選択図】図１
2010168104.tif 000002
【特許請求の範囲】
【請求項１】
段ボール箱を構成するフラップの少なくとも１つの先端側に、切断誘導線を介して組立補助用支持片部を支持したことを特徴とする組立物品梱包用段ボール箱。
【請求項２】
組立補助用支持片部は、中央部に形成した切断誘導線により２分割される構成としたことを特徴とする請求項１に記載の組立物品梱包用段ボール箱。
【請求項３】
組立補助用支持片部には、位置指示用表示を設けたことを特徴とする請求項１又は２に記載の組立物品梱包用段ボール箱。
【請求項４】
組立補助用支持片部には、位置指示用切欠を設けたことを特徴とする請求項１〜３までのいずれか１項に記載の組立物品梱包用段ボール箱。
【請求項５】
段ボール箱を構成する側壁部の所定個所に、切断誘導線を介して窓形成片部を支持したことを特徴とする組立物品梱包用段ボール箱。
【請求項６】
切断誘導線は窓の周囲対応個所の一部を除いて形成して、窓を開閉可能に構成したことを特徴とする請求項５に記載の組立物品梱包用段ボール箱。
【請求項７】
切断誘導線は窓の周囲対応個所に形成して、窓対向個所を分離可能に構成したことを特徴とする請求項５に記載の組立物品梱包用段ボール箱。
【発明の詳細な説明】
【技術分野】
【０００１】
本発明は、在宅介護ベッド等のように輸送先での組立を必要とする物品を梱包して輸送、保管するための組立物品梱包用段ボール箱に関するものである。
【背景技術】
【０００２】
例えば、在宅介護用の電動ベッド等の大型の物品は、輸送や保管を容易とするために、複数のユニットを組み立てて使用されるものが多く、これらのユニットは、一つ又は複数の段ボール箱に梱包されて輸送され、使用場所において複数のユニットを組み立てて使用可能な状態とする。
【０００３】
一方、これらの物品の販売において、ディーラー等の販売業者は、メーカーから輸送された物品を自己で管理可能とするために、物品本体に管理用のラベルを貼付することが必要である。
【０００４】
このような場合、販売業者は、例えば図９に示すように、梱包状態のままの段ボール箱ａの側壁部ｂにカッターで穴ｃを開け、その穴ｃから内部の物品本体の所定個所ｄに管理用ラベルｅの貼付作業を行っている。この場合、穴ｃを開ける個所は、経験で判断しており、管理用ラベルの貼付作業後は、穴から塵埃等が入らないように粘着テープで蓋をしている。
【０００５】
一方、比較的小型の電機製品等の物品の梱包では、メーカーにおいて物品の梱包時に添付した保証書を販売店において処理可能とするために、保証書を取り出すための取り出し口を、段ボール箱のフラップに形成した切り取り部を切り取って形成可能とし、保証書を取り出して日付等を記載した後、再び、保証書を挿入して、取り出し口を閉とするものがある。（例えば特許文献１を参照。）
【先行技術文献】
【特許文献】
【０００６】
【特許文献１】特許第３２１８８２７号公報
【発明の概要】
【発明が解決しようとする課題】
【０００７】
物品に添付する保証書は、物品とは分離して、梱包の緩衝材の上側等に載置することが多いので、梱包の一部、即ち、フラップの必要最小限の個所を開梱して取り出し口を用いて所定の作業を行うことができるが、このような段ボール箱のフラップに設けた取り出し口の構造は、上述した在宅介護用の電動ベッド等の大型の物品において、段ボール箱の外側から物品本体に管理用ラベルを貼付する用途には適用することができない。
【０００８】
そのため、従来は、段ボール箱にカッターで穴を開け、その穴から内部の物品本体の所定個所に管理用ラベルの貼付作業を行っているのである。
【０００９】
しかしながら穴を開ける位置は上述したように経験で判断しているため、間違えたり、手間が掛かり、物品自体を傷つけてしまう場合もある。
【００１０】
一方、使用場所において複数のユニットを組み立てる際、従来は、精々、組立説明書等を参照する程度であり、大型のユニットの組立を行う際の目安となるものがなく、習熟度に頼るところが大きい。
【００１１】
また、大型のユニットの組立においては、組立場所の床等を傷つける場合もある。
本発明は、以上の課題を解決することを目的とするものである。
【課題を解決するための手段】
【００１２】
上述した課題を解決するために、本発明では、まず、段ボール箱を構成するフラップの少なくとも１つの先端側に、切断誘導線を介して組立補助用支持片部を支持した組立物品梱包用段ボール箱を提案する。
【００１３】
また本発明では、上記の構成において、組立補助用支持片部は、中央部に形成した切断誘導線により２分割される構成とした組立物品梱包用段ボール箱を提案する。
【００１４】
また本発明では、上記の構成において、組立補助用支持片部には、位置指示用表示を設けた組立物品梱包用段ボール箱を提案する。
【００１５】
また本発明では、上記の構成において、組立補助用支持片部には、位置指示用切欠を設けた組立物品梱包用段ボール箱を提案する。
【００１６】
また本発明では、次に、段ボール箱を構成する側壁部の所定個所に、切断誘導線を介して窓形成片部を支持した組立物品梱包用段ボール箱を提案する。
【００１７】
また本発明では、上記の構成において、切断誘導線は窓の周囲対応個所の一部を除いて形成して、窓を開閉可能に構成した組立物品梱包用段ボール箱を提案する。
【００１８】
また本発明では、上記の構成において、切断誘導線は窓の周囲対応個所に形成して、窓対向個所を分離可能に構成した組立物品梱包用段ボール箱を提案する。
【発明の効果】
【００１９】
以上の構成において、フラップに切断誘導線を介して組立補助用支持片部を支持した本発明の組立物品梱包用段ボール箱は、在宅介護用の電動ベッド等の大型の物品を構成する複数のユニットを梱包して物品の使用場所に運んだ際、切断誘導線により組立補助用支持片部を容易に切り離すことができ、切り離した組立補助用支持片部をユニットの組立の目安として使用して、容易に組み立て作業を行うことができる。
【００２０】
組み立て作業において、ユニットを立てる必要がある場合等には、その接地側を組立補助用支持片部に載置するようにすることにより、組み立て作業において床を傷つけることを防止することができる。
【００２１】
また側壁部に切断誘導線を介して窓形成片部を支持した本発明の組立物品梱包用段ボール箱では、切断誘導線により窓形成片部を切り取って窓を形成することにより、窓を通して物品本体の所定個所に管理用ラベルを容易に貼付することができる。
【００２２】
この際、窓を形成する窓形成片部は、一部において側壁部に支持され、ヒンジ状に開閉可能に構成しても良いし、側壁部２から完全に分離するように構成することもできる。
【図面の簡単な説明】
【００２３】
【図１】図１は本発明に係る段ボール箱の実施の形態の全体構成を示す斜視図である。
【図２】図２は図１の段ボール箱の内フラップを閉め、外フラップを閉めようとしている状態を示す斜視図である。
【図３】図３は図１の段ボール箱の梱包状態を示す斜視図である。
【図４】図４は梱包状態の段ボール箱の側壁部の窓形成片部を開いて、管理用ラベルを貼付する状態を示す要部斜視図である。
【図５】図５は図４の管理用ラベルの一例を示す正面図である。
【図６】図１の段ボール箱の内フラップに支持した組立補助用支持片部を切り取った状態を示す要部説明図である。
【図７】図６において切り取った組立補助用支持片部の使用状態を示す要部平面図である。
【図８】図６において切り取った組立補助用支持片部の使用状態を示す斜視図である。
【図９】従来における梱包状態の物品への管理用ラベルの貼付作業を示す要部斜視図である。
【発明を実施するための形態】
【００２４】
次に本発明の組立物品梱包用段ボール箱の実施の形態を添付図面を参照して説明する。
図において符号１は本発明に係る段ボール箱を概括的に示すもので、この段ボール箱１は、在宅介護用の電動ベッドを梱包して輸送、保管を行うものである。後述するように、梱包の対象とする電動ベッドは、組み立てて結合する基部フレームと床支持フレームの２つのユニットから成り、基部フレーム側に床支持フレームを昇降させる昇降機構を設けると共に、床支持フレーム側に分割された床部を起伏させる昇降機構を設けたものである。
【００２５】
この段ボール箱１は、通常のものと同様に、側壁部２と、側壁部２の上側と下側の夫々に対応して形成した内フラップ３と外フラップ４とから構成されており、そして、まず、フラップの少なくとも１つ、この実施の形態では、１つの内フラップ３の先端側に、切断誘導線５を介して組立補助用支持片部６を支持している。切断誘導線５は、容易に切り取り可能とするものであれば、一部を残して形成した直線状切込み、ミシン目あるいは半切れ線等を適用することができる。
【００２６】
図６に示すように、この実施の形態においては、組立補助用支持片部６は、中央部に形成した切断誘導線５’により２分割される構成としている。このように２分割される組立補助用支持片部６は、上述したユニットの巾方向の左右側に対応するものであり、夫々には電動ベッドの基部フレームの脚座に対応する切欠部７と、使用法の表示と、床支持フレームの床長に対応する載置指示線８ａ，８ｂが設けられている。尚、この実施の形態とは異なり、左右側に対応する組立補助用支持片部６は、一つずつ夫々の内フラップ３に切断誘導線を介して支持して設けることもできる。
【００２７】
更にこの実施の形態では、段ボール箱１を構成する側壁部２の所定個所に、切断誘導線９を介して窓形成片部１０を支持している。この際、窓を形成する窓形成片部１０は、図示のように、一部において側壁部２に支持され、ヒンジ状に開閉可能に構成しても良いし、側壁部２から完全に分離するように構成することもできる。
【００２８】
次に電動ベッドを構成するユニットの概略を図８につき説明すると、上述した通り、この電動ベッド１１は、概ね、組み立てて結合する基部フレーム１２と床支持フレーム１３の２つのユニットから成り、基部フレーム１２側に、結合した床支持フレーム１３を昇降させる昇降機構１４を設けると共に、床支持フレーム１３側に分割された床部を起伏させる昇降機構１５を設けたものである。昇降機構１４は例えばＸリンク式の昇降機構であり、この昇降機構１４を構成するＸリンクの端部の連結腕１６ａを床支持フレーム１３側に回動可能に固定すると共に、Ｘリンクの他の端部に構成した移動ローラー１６ｂを、床支持フレーム１３に設けた案内レール１７に嵌合することにより、基部フレーム１２の上方に床支持フレーム１３を昇降可能に結合する構成である。尚、この実施の形態において、基部フレーム１２の端部には脚座１８が設けられており、また床支持フレーム１３の端部にはヘッドボード、フットボードを取り付けるためのボード受金具１９が設けられている。
【００２９】
以上の構成において、図３は上記電動ベッドを構成する２つのユニットを梱包した状態を示すものであり、符号２０は梱包用の粘着テープを示すものである。ここで組立補助用支持片部６は、内フラップ３に設けているので、図３に示す梱包状態においては内部に位置するので、切断誘導線５により切り取りが容易ではあっても、輸送中に意図せずに取れてしまうことはない。
【００３０】
一方、ディーラー等の販売業者は、メーカーから輸送されて客先に納品する物品、即ち、この場合、在宅介護用の電動ベッドを自己で管理可能とするために、ベッド本体に管理用ラベルを貼付する際には、図３の梱包状態において、図４に示すように切断誘導線９により窓形成片部１０を切り取って窓を形成することにより、窓を通してベッドの所定個所、例えば基部フレーム１２に管理用ラベル２１を容易に貼付することができる。そして管理用ラベル２１を貼付後は、窓形成片部１０を閉めて粘着テープ等により閉に支持すれば、塵埃等が梱包した内部に流入することがない。
【００３１】
次に梱包状態の段ボール箱１を客先の使用場所等に運んで電動ベッドの組立を行う際には、まず梱包を解く際に、切断誘導線５、５’により組立補助用支持片部６を内フラップ３から切り離し、これらの切り離した組立補助用支持片部６をユニットの組立の目安として使用して、容易に組み立て作業を行うことができる。
【００３２】
即ち、この実施の形態の場合には、図８に示すように、まず基部フレーム１２を床に置き、基部フレーム１２の長手方向の所定の側の端部の左右側の脚座１８に合わせて、組立補助用指示片部６を置く。この実施の形態では、組立補助用指示片部６に脚座１８に対応した切欠部７を設けているため位置決めが容易である。
【００３３】
次いで床支持フレーム１３を立て、載置指示線８ｂで示される組立補助用指示片部６上の位置に、ボード受金具１９を以て立設状態で支持する。
【００３４】
このように立設状態とした床支持フレーム１３のボード受金具１９は組立補助用指示片部６上に載置するため、組み立て作業において床を傷つけることを防止することができる。
【００３５】
こうして、所定の位置に立設状態とした床支持フレーム１３を基部フレーム１２上に倒して行くと、基部フレーム１２側の上記移動ローラー１６ｂが、丁度、床支持フレーム１３側の案内レール１７の端部に形成した係合用切欠部２２に位置するので、移動ローラー１６ｂを容易に案内レール１７に係合させることができる。このように移動ローラー１６ｂを案内レール１７に係合すると、床支持フレーム１３の荷重の一部が移動ローラー１６ｂを介して基部フレーム１２により支持されるので、組立作業者は容易に床支持フレーム１３を支持することができる。従って、床支持フレーム１３を適宜移動させて、連結腕１６ａとの連結位置を合わせて連結を行うことができ、こうして最も大変な組み立て作業を容易に行って、重い床支持フレーム１３を基部フレーム１２上に結合することができる。
【産業上の利用可能性】
【００３６】
本発明の組立物品梱包用段ボール箱は、実施の形態に示すように在宅介護ベッド用として使用する他、輸送先での組立を必要とする適宜の物品を梱包して輸送、保管するために使用することができる。
【符号の説明】
【００３７】
１                段ボール箱
２                側壁部
３                内フラップ
４                外フラップ
５，５’          切断誘導線
６                組立補助用指示片部
７                切欠部
８ａ，８ｂ        載置指示線
９                切断誘導線
１０              窓形成片部
１１              電動ベッド
１２              基部フレーム
１３              床支持フレーム
１４、１５        昇降機構
１６ａ            連結腕
１６ｂ            移動ローラー
１７              案内レール
１８              脚座
１９              ボード受金具
２０              粘着テープ
２１              管理用ラベル
２２              係合用切欠部
【図１】
2010168104.tif 000003
【図２】
2010168104.tif 000004
【図３】
2010168104.tif 000005
【図４】
2010168104.tif 000006
【図５】
2010168104.tif 000007
【図６】
2010168104.tif 000008
【図７】
2010168104.tif 000009
【図８】
2010168104.tif 000010
【図９】
2010168104.tif 000011